(57)【要約】  駐車状態を保持する駐車保持装置（２０）と、前記駐車保持装置（２０）を制御して駐車状態を保持させる駐車保持制御装置（４０）と、自車が駐車される可能性ありとの仮判定が可能な駐車仮判定装置（６１）と、運転者の意思を判定する意思判定装置（６４）と、を備え、前記仮判定が為された場合、運転者の意思が駐車の意思ならば、前記駐車保持制御装置（４０）が前記駐車保持装置（２０）を制御して駐車状態の保持制御を実行させる一方、運転者の意思が駐車の意思でないならば、前記駐車保持制御装置（４０）が駐車状態の保持制御を禁止すること。
2011092857.tif 000002
【特許請求の範囲】
【請求項１】
駐車状態を保持する駐車保持装置と、
前記駐車保持装置を制御して駐車状態を保持させる駐車保持制御装置と、
自車が駐車される可能性ありとの仮判定が可能な駐車仮判定装置と、
運転者の意思を判定する意思判定装置と、
を備え、
前記仮判定が為された場合、運転者の意思が駐車の意思ならば、前記駐車保持制御装置が前記駐車保持装置を制御して駐車状態の保持制御を実行させる一方、運転者の意思が駐車の意思でないならば、前記駐車保持制御装置が駐車状態の保持制御を禁止することを特徴とした駐停車制御システム。
【請求項２】
停車状態を保持する停車保持装置と、
駐車状態を保持する駐車保持装置と、
車両停止時に前記停車保持装置を制御して停車状態を保持させる停車保持制御装置と、
前記駐車保持装置を制御して駐車状態を保持させる駐車保持制御装置と、
自車が駐車される可能性ありとの仮判定が可能な駐車仮判定装置と、
運転者の意思を判定する意思判定装置と、
を備え、
停車状態の保持制御中に前記仮判定が為された場合、運転者の意思が駐車の意思ならば、前記駐車保持制御装置が前記駐車保持装置を制御して駐車状態の保持制御を実行させる一方、運転者の意思が駐車の意思でないならば、前記駐車保持制御装置が駐車状態の保持制御を禁止することを特徴とした駐停車制御システム。
【請求項３】
前記意思判定装置は、運転者のブレーキ操作があったときに当該運転者の意思が駐車の意思でないと判定することを特徴とした請求項１又は２に記載の駐停車制御システム。
【請求項４】
運転者の意思が駐車の意思でない場合、前記意思判定装置は、所定時間の経過後再度運転者の意思を判定することを特徴とした請求項１又は２に記載の駐停車制御システム。
【請求項５】
運転者の意思が駐車の意思でない場合、前記意思判定装置が運転者の意思の再判定の要否を判定し、再判定の必要ありと判定されたならば、所定時間の経過後再度運転者の意思を判定することを特徴とした請求項１又は２に記載の駐停車制御システム。
【請求項６】
前記駐車状態の保持制御が実行中の場合、前記駐車保持制御装置は、前記仮判定が為されず且つ運転者の意思が前記駐車状態の保持制御の解除意思ならば、該駐車状態の保持制御を解除することを特徴とした請求項１又は２に記載の駐停車制御システム。
【発明の詳細な説明】
【技術分野】
【０００１】
本発明は、車両の駐車状態や停車状態を制御する駐停車制御システムに関する。
【背景技術】
【０００２】
従来、運転者によるブレーキペダルの操作の有無に拘わらず停車状態を保持する停車保持装置が知られている。例えば、下記の特許文献１には、停車中で且つブレーキペダルが踏み込まれている場合に運転者の姿勢の変化が検知されると、停車保持装置（制動力発生手段）を動作させて停車状態の保持を行うという技術が開示されている。また、この特許文献１には、その制御を行うか否かの判断時に、所定の条件が成立したならば停車保持制御を実行させないという技術も開示されている。これにより、例えば車両進行方向が後進方向で且つシートベルト非装着のときに、運転者の意思に反した停車保持制御の実行が禁止されて、運転者が意図的に車両をクリープ走行させることができる。【０００３】
また、所定の条件が成立した際に自車が駐車されると判定し、駐車保持装置を動作させて駐車状態を保持する駐車保持制御装置なるものが知られている。例えば、下記の特許文献２には、駐車保持装置としての所謂電動パーキングブレーキ（ＥＰＢ：Electric Parking Brake）を備えたものが開示されている。
【先行技術文献】
【特許文献】
【０００４】
【特許文献１】特開２００９−１１３７１２号公報
【特許文献２】特開２００９−１９０５５１号公報
【発明の概要】
【発明が解決しようとする課題】
【０００５】
ところで、従来の駐車保持制御装置には、ブレーキペダルから足が離されている状態で停車保持制御が所定時間継続して行われた際に、自車が駐車されると判定させている。従って、駐車保持制御装置は、その条件が成立した際に、駐車保持装置を制御し、制動力を発生させて駐車状態を保持させる。しかしながら、その条件には、何ら運転者の意思が反映されていない。これが為、運転者の意思に反して駐車保持制御が実行される虞もあり、その際に運転者は、不要な駐車保持制御を解除する為の操作を行わなければならず、煩わしさを覚える可能性がある。また、運転者は、駐車保持制御が実行中であることを認識していない可能性もあり、車両を発進させる際に初めて認識したとすると、意図していなかった解除操作等によって混乱を招く虞がある。【０００６】
そこで、本発明は、かかる従来例の有する不都合を改善し、運転者の意思に反した駐車保持制御が行われないように構成した駐停車制御システムを提供することを、その目的とする。
【課題を解決するための手段】
【０００７】
上記目的を達成する為、本発明は、駐車状態を保持する駐車保持装置と、前記駐車保持装置を制御して駐車状態を保持させる駐車保持制御装置と、自車が駐車される可能性ありとの仮判定が可能な駐車仮判定装置と、運転者の意思を判定する意思判定装置と、を備え、前記仮判定が為された場合、運転者の意思が駐車の意思ならば、前記駐車保持制御装置が前記駐車保持装置を制御して駐車状態の保持制御を実行させる一方、運転者の意思が駐車の意思でないならば、前記駐車保持制御装置が駐車状態の保持制御を禁止することを特徴としている。【０００８】
また、上記目的を達成する為、本発明は、停車状態を保持する停車保持装置と、駐車状態を保持する駐車保持装置と、車両停止時に前記停車保持装置を制御して停車状態を保持させる停車保持制御装置と、前記駐車保持装置を制御して駐車状態を保持させる駐車保持制御装置と、自車が駐車される可能性ありとの仮判定が可能な駐車仮判定装置と、運転者の意思を判定する意思判定装置と、を備え、停車状態の保持制御中に前記仮判定が為された場合、運転者の意思が駐車の意思ならば、前記駐車保持制御装置が前記駐車保持装置を制御して駐車状態の保持制御を実行させる一方、運転者の意思が駐車の意思でないならば、前記駐車保持制御装置が駐車状態の保持制御を禁止することを特徴としている。【０００９】
ここで、前記意思判定装置は、運転者のブレーキ操作があったときに当該運転者の意思が駐車の意思でないと判定することが望ましい。【００１０】
また、運転者の意思が駐車の意思でない場合、前記意思判定装置は、所定時間の経過後再度運転者の意思を判定することが望ましい。【００１１】
また、運転者の意思が駐車の意思でない場合、前記意思判定装置が運転者の意思の再判定の要否を判定し、再判定の必要ありと判定されたならば、所定時間の経過後再度運転者の意思を判定することが望ましい。【００１２】
また、前記駐車状態の保持制御が実行中の場合、前記駐車保持制御装置は、前記仮判定が為されず且つ運転者の意思が前記駐車状態の保持制御の解除意思ならば、該駐車状態の保持制御を解除することが望ましい。
【発明の効果】
【００１３】
本発明に係る駐停車制御システムは、運転者の駐車の意思が確認されれば駐車保持制御を実行させるが、駐車の意思が確認されなければ駐車保持制御を実行させない。これが為、この駐停車制御システムは、運転者の意思に反した無用な駐車保持制御が実行されないので、発進時に不要な駐車保持制御を手動操作で解除する煩わしさから運転者を解放させることができる。また、この駐停車制御システムは、無意識のうちに実行された駐車保持制御の解除操作を発進時に行う必要がないので、発進時の操作の混乱を防ぐことができる。
【図面の簡単な説明】
【００１４】
【図１】図１は、本発明に係る駐停車制御システムの構成を示すブロック図である。
【図２】図２は、本発明に係る駐停車制御システムの動作の一例を示すフローチャートである。
【図３】図３は、本発明に係る駐停車制御システムの動作の他の例を示すフローチャートである。
【図４】図４は、本発明に係る駐停車制御システムの動作の他の例を示すフローチャートである。
【図５】図５は、本発明に係る駐停車制御システムの動作の他の例を示すフローチャートである。
【発明を実施するための形態】
【００１５】
以下に、本発明に係る駐停車制御システムの実施例を図面に基づいて詳細に説明する。尚、この実施例によりこの発明が限定されるものではない。
【００１６】
［実施例］
本発明に係る駐停車制御システムの実施例を図１から図５に基づいて説明する。
【００１７】
最初に、本実施例の駐停車制御システムの構成について図１に基づき説明する。
【００１８】
先ず、この駐停車制御システムは、車両の停車状態を保持する停車保持装置１０と、車両の駐車状態を保持する駐車保持装置２０と、その停車保持装置１０を制御して停車状態を保持させる停車保持制御装置３０と、その駐車保持装置２０を制御して駐車状態を保持させる駐車保持制御装置４０と、を備える。
【００１９】
停車保持装置１０は、所謂ブレーキホールド機能を為すことで停車状態を保持させる装置である。この停車保持装置１０には、例えば車両の制動力発生装置を利用すればよい。その制動力発生装置は、制動力の大きさの制御の為の電動又は油圧のアクチュエータを備えたものである。例えば、本実施例の停車保持装置１０は、各車輪におけるキャリパやロータ等の制動力発生部と、この制動力発生部におけるブレーキ油圧を調整するアクチュエータと、を備えている。
【００２０】
このように停車保持装置１０を構成した場合、停車保持制御装置３０は、アクチュエータを制御し、車輪に制動力を発生させることによって停車保持制御を行う。例えば、車室内には、停車保持制御の実行要否を運転者に切り替えさせる切替スイッチ等の如き停車保持制御切替部が設けられている。停車保持制御装置３０は、その停車保持制御切替部から制御オン信号を受信した停車保持制御オン状態ならば、所定の停車保持条件が成立したときに停車保持制御を実行する。その停車保持条件とは、例えば停車保持制御オン状態のときの車両の停止時である。停車保持制御装置３０は、停車保持制御オン状態のときに運転者のブレーキペダル５１の踏み込み操作に伴い車両が停止すると、停車保持装置１０を制御して停車状態を保持させる。これにより、車両は、運転者がブレーキペダル５１から足を離してしまっても停車状態を保つことができる。この停車保持制御装置３０は、その停車保持制御中に例えば運転者がアクセル操作を行った際に停車保持制御を解除し、車両の発進を可能にさせる。
【００２１】
駐車保持装置２０は、その代表的な例を挙げれば所謂電動パーキングブレーキと云われるものである。この駐車保持装置２０は、本装置専用の構成からなるものであってもよく、停車保持装置１０と同様に車両の制動力発生装置を利用してもよい。例えば、専用の構成の駐車保持装置２０としては、所謂ドラムブレーキ装置からなる制動力発生部と、この制動力発生部の摩擦材（ブレーキシュー）を動作させる電動又は油圧のアクチュエータと、を備えたものが考えられる。
【００２２】
駐車保持制御装置４０は、駐車保持装置２０のアクチュエータを制御し、車輪に制動力を発生させることによって駐車保持制御を行う。例えば、車室内には、駐車保持制御の実行又は解除を運転者に切り替えさせる切替スイッチ等の如き駐車保持制御切替部が設けられている。駐車保持制御装置４０は、その駐車保持制御切替部から制御実行信号を受信したときに駐車保持制御を実行し、制御解除信号を受信したときに実行中の駐車保持制御を解除する。また、この駐車保持制御装置４０は、変速機のシフトレバーの位置に連動させて駐車保持制御を実行又は解除させてもよい。駐車保持制御装置４０は、例えば自動モードが選択された際に、そのシフトレバーの位置が駐車位置「Ｐ」ならば駐車保持制御を実行させる一方、その駐車位置「Ｐ」から例えば走行位置「Ｄ」にシフトレバーが操作されたならば駐車保持制御を解除させる。
【００２３】
ところで、その駐車保持制御の実行又は解除への切り替えについては、駐車保持制御切替部やシフトレバーの操作時であれば、運転者の駐車又は発進と云う意思が反映されている。しかしながら、従来の駐停車制御システムにおいては、運転者の意思に拘わらず駐車保持制御が実行される状況があった。例えばブレーキペダル５１が踏まれていない状態で上記の停車保持制御が所定時間継続して実行されたときには、運転者がどの様な意図で車両を停車させたのか、どの様な意図でブレーキペダル５１から足を離しているのか等の理由の如何に関わらず、自車が駐車されるとの判定が為されて、駐車保持制御が実行されてしまう。従って、従来は、例えば車室内の荷物を取ったり電話をかけたりする為に一時的に停車させて直ぐに発進させるつもりであるにも拘わらず、駐車保持制御が実行されてしまう可能性があり、発進時に駐車保持制御切替部の解除操作を強いられる。また、駐車保持制御は、自車が駐車されると推測される情報を検知した際にも実行される。その情報とは、例えば運転者の降車を示す信号（運転席のシードベルト非装着の信号、運転席のドア開放の信号等）などである。しかし、例えば車室内の特に後部座席の荷物を取るときにシードベルトを外すことがあり、従来は、運転者に駐車の意思が無くても、シートベルトを外しただけで駐車保持制御が実行されてしまう虞がある。
【００２４】
そこで、本実施例においては、運転者の意思が反映された停車保持制御や駐車保持制御が実行されるように構成する。
【００２５】
先ず、従来は、停車保持制御の継続時間や運転者の降車を示す信号の受信等の所定の駐車条件が成立したときに自車が駐車されると判定し、駐車保持制御を実行していた。これに対して、本実施例においては、駐車条件の成立時に自車が駐車される可能性があるとの仮判定を行わせ、自車が駐車されるとの本判定が為されるまでは駐車保持制御を実行させないようにする。その為に、本実施例の駐停車制御システムには、自車が駐車される可能性ありとの仮判定（以下、「駐車仮判定」という。）が可能な駐車仮判定装置６１を設ける。その駐車仮判定は、従来と同様の所定の駐車条件が成立したときに行われる。また、この駐車仮判定は、運転者がブレーキペダル５１から足を離しており且つ車両が停車しているときに行われる。
【００２６】
また、本実施例の駐停車制御システムには、運転者の意思を確認する為の情報（以下、「意思確認情報」という。）を運転者に伝える意思確認情報伝達装置６２が設けられている。その意思確認情報は、運転者に対して駐車の意思を確認する為のものである。この意思確認情報は、運転者の視覚若しくは聴覚又はその双方を刺激するものを用いる。例えば、視覚情報の場合には、駐車する意思の有無を示す文字情報や図形情報等が考えられる。この場合の意思確認情報伝達装置６２には、その意思確認情報を表示する表示部が設けられる。その表示部には、例えば速度計等の計器表示部、カーナビゲーションシステムやマルチインフォメーションシステムのモニタなどを利用すればよい。一方、聴覚情報の場合には、駐車する意思の有無を示す音声情報や音響情報等が考えられる。この意思確認情報伝達装置６２には、駐車仮判定が為された際に意思確認情報を出力する意思確認情報制御部６２ａが設けられている。本実施例の意思確認情報制御部６２ａは、意思確認情報を視覚情報として表示部６２ｂに出力し、運転者に駐車の意思を確認する。
【００２７】
更に、本実施例の駐停車制御システムは、運転者が自らの意思を示す意思表明装置６３と、この意思表明装置６３による情報に基づいて運転者の意思を判定する意思判定装置６４と、を備える。
【００２８】
その意思表明装置６３は、意思確認情報を知得した運転者に操作させるものである。この意思表明装置６３としては、例えば車室内に設けたスイッチ等の操作部が考えられる。この構成の場合には、駐車意思があるならば、その操作部を運転者に操作させる。意思判定装置６４は、その操作部の操作に伴うオン信号を受信したときに、運転者に駐車意思があると判定する。また、この意思表明装置６３は、同様の構成のものとして、タッチパネル等のモニタを利用できる。この場合には、意思表明装置６３と意思確認情報伝達装置６２との一体化が可能になり、例えばモニタ上の意思確認情報の近くにスイッチを表示することで実現できる。運転者は、駐車意思があるならばモニタ上のスイッチを押下し、オン信号を意思判定装置６４に送信させる。
【００２９】
以下、この駐停車制御システムにおける駐車保持制御の実行判断の動作を図２のフローチャートを用いて説明する。
【００３０】
この駐停車制御システムにおいては、先ず、駐車仮判定の有無を観る（ステップＳＴ５）。ここでは、駐車仮判定装置６１が駐車仮判定を行わなければ本動作を終わらせるが、駐車仮判定が行われたならば次の動作に進む。駐車仮判定が行われた際、駐車仮判定装置６１は、意思確認情報を伝えるよう意思確認情報伝達装置６２に指令を送る。その駐車仮判定は、運転者がブレーキペダル５１から足を離した状態での停車保持制御中に行われる。
【００３１】
意思確認情報伝達装置６２は、意思確認情報制御部６２ａが駐車意思の有無を確認する為の意思確認情報を表示部６２ｂに表示させて、その意思確認情報を運転者に向けて伝達する（ステップＳＴ１０）。これにより、運転者は、駐車意思があれば意思表明装置６３の操作を行う。
【００３２】
意思判定装置６４は、その意思表明装置６３からのオン信号を受信したのか否かに応じて運転者が駐車意思を持っているのか否かを判定する（ステップＳＴ１５）。意思判定装置６４は、その判定結果を駐車保持制御装置４０に送る。
【００３３】
ここで、このステップＳＴ１５でオン信号を受信して運転者の駐車意思が確認されたのならば、駐車保持制御装置４０は、駐車仮判定を自車が駐車されるとの本判定に切り替えて、駐車保持制御を実行する（ステップＳＴ２０）。これに対して、駐車保持制御装置４０は、ステップＳＴ１５でオン信号を受信せず運転者の駐車意思が確認されなければ、駐車保持制御の実行を禁止させる（ステップＳＴ２５）。
【００３４】
このように、この駐停車制御システムにおいては、運転者が自ら駐車意思を示したときに駐車保持制御が実行される。これが為、この駐停車制御システムは、運転者の意思に反した駐車保持制御の実行を回避でき、無用な駐車保持制御を解除する為の駐車保持制御切替部の解除操作を運転者に強いることがないので、車両を発進させる際の煩わしさが無く、且つ、発進時の操作の混乱を防ぐことができる。例えば、停車状態が踏切待ちや信号待ち等に基づくものの場合には、駐車の意思はなく、後の発進を望んでいる。この駐停車制御システムは、その様な場合に運転者の意思に沿って駐車保持制御を実行させないので、運転者が車両を円滑に発進操作できる。
【００３５】
ここで、上記のように構成した意思表明装置６３は、専用度合いが高く、コストが高くなる可能性がある。これが為、この意思表明装置６３には、既存のものを使うことが好ましい。例えば、駐車仮判定が為される際には車両が既に停止しており且つブレーキペダル５１から運転者の足が離れているので、そのブレーキペダル５１を踏んだときには、ストップランプ（図示略）が点灯する以外明らかな変化が車両に現れない。従って、そのブレーキペダル５１の踏み込みに応じて信号を出力する装置を意思表明装置６３として採用してもよい。この場合の意思表明装置６３としては、例えばペダル踏力等のペダル操作量を検出するセンサやストップランプスイッチ等が考えられる。この場合、意思判定装置６４には、その信号を受信したときに運転者に駐車の意思がないと判定させる。
【００３６】
また、運転者は、一旦駐車の意思が無いことを示した後で駐車を望むこともある。そのような場合に対応させる為、この駐停車制御システムは、図２の動作を繰り返し実行させることが望ましい。例えば、図３のフローチャートに示すように、車両の停止を契機にしてタイマを所定時間カウントアップした後（ステップＳＴ１）、ステップＳＴ５に進んで駐車仮判定の有無を観る。そして、それ以降の動作を実行し、ステップＳＴ２５で駐車保持制御の実行が禁止されたときには、タイマをリセットして（ステップＳＴ２７）、再びステップＳＴ１でタイマをカウントアップする。このように、この駐停車制御システムは、一定時間経過毎に運転者に対して駐車の意思を繰り返し確認することができる。従って、この駐停車制御システムは、一度駐車の意思を否定した後に駐車状態の保持を望むことになっても、その運転者の意思を反映して駐車保持制御へと移行させることができる。尚、図２，３の夫々のフローチャートで共通するステップは、図２で説明した内容に準ずる。
【００３７】
ここで、意思表明装置６３としてブレーキペダル５１の踏み込みに応じた信号出力装置が用いられている場合、図３の２週目以降のステップＳＴ５においては、運転者が再びブレーキペダル５１から足を離さなければ駐車仮判定が為されない。これが為、図２のフローチャートのままでは、本動作を終えることになり、その後の駐車の意思に対応できない。そこで、図３のステップＳＴ５で駐車仮判定が行われていないと判断したときには、ステップＳＴ２７に進んでタイマをリセットさせる。
【００３８】
更に、運転者は、駐車仮判定が為されるような状況下において、駐車意思を明確に否定できる場合もあれば、明確に否定できない場合もある。明確に否定できる場合とは、例えば踏切待ちや信号待ち等の車両を発進させることが明らかな場合である。一方、明確に否定できない場合とは、例えば、車両を停止させ、何かしらの用事を済ませてから発進させるつもりであったが、その後で車外での用事が必要になった場合などである。通常、運転者は、停車保持装置１０が車両に搭載されているので一時的にブレーキペダル５１から足を離すことがあっても、車両の発進が明らかならば、多くの場合、停車状態にてブレーキペダル５１を踏んでいるものである。例えば、その一時的にブレーキペダル５１から足を離していたときに駐車仮判定が為された場合、運転者は、意思確認情報が伝えられた際にブレーキペダル５１を踏んで、その踏み込み状態を保つ可能性が高い。これが為、例えばブレーキペダル５１の踏み込み継続時間が所定時間よりも長いときは、運転者の駐車意思が明確に否定されていると云える。これに対して、例えば車両を停止させて後席の荷物を取る等の用事を済ませるときには、運転者がブレーキペダル５１から足を離すが、その動作とブレーキペダル５１の踏み込み動作とが繰り返される可能性がある。これが為、意思確認情報が伝えられた後で例えば所定時間内にその繰り返し動作が行われたときには、１回のブレーキ踏み込み操作によって駐車意思が否定されたとしても、運転者の真意を車両側で明確に判断できず、図３のフローチャートの様に運転者の意思の再確認を行うことが望ましい。そこで、図４のフローチャートに示すように運転者の意思を再確認させる。尚、図２，３，４の夫々のフローチャートで共通するステップは、図２，３で説明した内容に準ずる。
【００３９】
この場合の駐停車制御システムは、ステップＳＴ２５で駐車保持制御の実行が禁止されると、意思判定装置６４に運転者の意思の再確認が必要なのか否かを判定させる（ステップＳＴ２６）。この判定は、例えば運転者によるブレーキペダル５１の踏み込み形態に基づいて実行する。このステップＳＴ２６においては、上述したようにブレーキペダル５１の踏み込み継続時間が所定時間（例えば数秒）よりも長いときに運転者の駐車意思が明確に否定されていると云えるので、このときに運転者の駐車意思を再確認する必要なしと判定し、本動作を終わらせる。一方、このステップＳＴ２６においては、上述したようにブレーキペダル５１の踏み込みが所定時間（例えばタイマのカウントアップ時間）内に繰り返されたならば運転者の真意を判断し難いので、所定時間内のブレーキペダル５１の踏み込み回数が所定回数（駐車意思が明確に判断できない回数）以上のときに運転者の駐車意思を再確認する必要ありと判定させる。このときには、ステップＳＴ２７に進んでタイマをリセットし、再びステップＳＴ１でタイマをカウントアップさせる。これにより、このときには、一定時間経過毎に運転者に対して駐車の意思を繰り返し確認することができる。このように、この駐停車制御システムは、例えば踏切待ち等において無用な駐車保持制御の実行を回避できると共に、運転者の真意が曖昧なときには意思が明確になるまで運転者に駐車の意思を繰り返し確認できるので、運転等の状況や運転者の意思に応じた適切な駐停車の保持制御が実行可能になる。
【００４０】
また更に、運転者は、駐車の意思を示した後で、これを覆す可能性がある。この場合に対応させる為には、図５のフローチャートに示すように動作させればよい。尚、図２，５の夫々のフローチャートで共通するステップは、図２で説明した内容に準ずる。
【００４１】
運転者が駐車の意思を一度示したときには駐車保持制御が実行されるので、この場合の駐停車制御システムは、先ず、駐車保持制御が実行中であるのか否かを判定し（ステップＳＴ２）、駐車保持制御が実行中でなければステップＳＴ５に進んで駐車仮判定の有無を観る。このときには、それ以降、図２のフローチャートと同じように動作させるが、ステップＳＴ２０で駐車保持制御を実行させた後又はステップＳＴ２５で駐車保持制御を禁止させた後、ステップＳＴ２に戻すことにしている。
【００４２】
これに対して、ステップＳＴ２で駐車保持制御が実行中と判定されたときには、ステップＳＴ５と同様に駐車仮判定の有無を観る（ステップＳＴ３）。そして、このステップＳＴ３で駐車仮判定が為されているときには、実行中の駐車保持制御をそのまま継続させる。一方、ステップＳＴ３で駐車仮判定がされていないとき（つまり不成立のとき）には、実行中の駐車保持制御の解除を運転者が望んでいる可能性があるので、その際の運転者の意思が駐車保持制御の解除意思であるのか否かを意思判定装置６４に判定させる（ステップＳＴ４）。この判定は、ステップＳＴ１５の判定と同様に、意思表明装置６３の情報に基づいて行う。例えば、意思判定装置６４は、意思表明装置６３からのオン信号が受信されないとき又は意思表明装置６３からのブレーキペダル５１の踏み込み操作に係る信号を受信したときに、運転者が駐車保持制御の解除意思を持っていることを確認する。従って、駐車保持制御の解除意思が確認されたときには、ステップＳＴ２５に進んで駐車保持制御装置４０に駐車保持制御の実行を禁止させる。これにより、このときには、運転者が駐車保持制御切替部の解除操作を行わなくても、実行中の駐車保持制御が解除される。また、ステップＳＴ４で駐車保持制御の解除意思が確認されなかったときには、実行中の駐車保持制御をそのまま継続させる。このように、この駐停車制御システムは、駐車保持制御の手動解除を必要としないので運転者にとっての利便性が高く、且つ、運転者の意思に反し、誤って実行中の駐車保持制御が解除されてしまう虞もない。
【産業上の利用可能性】
【００４３】
以上のように、本発明に係る駐停車制御システムは、運転者の意思に反した駐車保持制御の抑制に有用である。
【符号の説明】
【００４４】
１０  停車保持装置
２０  駐車保持装置
３０  停車保持制御装置
４０  駐車保持制御装置
５１  ブレーキペダル
６１  駐車仮判定装置
６２  意思確認情報伝達装置
６３  意思表明装置
６４  意思判定装置
【図１】
2011092857.tif 000003
【図２】
2011092857.tif 000004
【図３】
2011092857.tif 000005
【図４】
2011092857.tif 000006
【図５】
2011092857.tif 000007
【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
駐車状態を保持する駐車保持装置と、
前記駐車保持装置を制御して駐車状態を保持させる駐車保持制御装置と、
前記駐車状態の保持制御の実行可能条件たる駐車条件の成立に伴い自車が駐車される可能性ありと仮判定する駐車仮判定装置と、
前記仮判定が為されると運転者に意思確認情報を伝えて駐車の意思を確認する意思確認情報伝達装置と、
運転者の意思を判定する意思判定装置と、
を備え、
前記意思確認情報伝達装置が前記意思確認情報を出力した後の運転者の意思表明装置に対する操作で運転者の駐車の意思と判定されたならば、前記駐車保持制御装置が前記駐車保持装置を制御して駐車状態の保持制御を実行させる一方、運転者の意思が駐車の意思でないならば、前記駐車保持制御装置が駐車状態の保持制御を禁止することを特徴とした駐停車制御システム。
【請求項２】
停車状態を保持する停車保持装置と、
駐車状態を保持する駐車保持装置と、
車両停止時に前記停車保持装置を制御して停車状態を保持させる停車保持制御装置と、
前記駐車保持装置を制御して駐車状態を保持させる駐車保持制御装置と、
前記駐車状態の保持制御の実行可能条件たる駐車条件の成立に伴い自車が駐車される可能性ありと仮判定する駐車仮判定装置と、
前記仮判定が為されると運転者に意思確認情報を伝えて駐車の意思を確認する意思確認情報伝達装置と、
運転者の意思を判定する意思判定装置と、
を備え、
停車状態の保持制御中に、前記意思確認情報伝達装置が前記意思確認情報を出力した後の運転者の意思表明装置に対する操作で運転者の駐車の意思と判定されたならば、前記駐車保持制御装置が前記駐車保持装置を制御して駐車状態の保持制御を実行させる一方、運転者の意思が駐車の意思でないならば、前記駐車保持制御装置が駐車状態の保持制御を禁止することを特徴とした駐停車制御システム。
【請求項３】
前記意思判定装置は、運転者のブレーキ操作があったときに当該運転者の意思が駐車の意思でないと判定することを特徴とした請求項１又は２に記載の駐停車制御システム。
【請求項４】
運転者の意思が駐車の意思でない場合、前記意思判定装置は、所定時間の経過後再度運転者の意思を判定することを特徴とした請求項１又は２に記載の駐停車制御システム。
【請求項５】
運転者の意思が駐車の意思でない場合、前記意思判定装置が運転者の意思の再判定の要否を判定し、再判定の必要ありと判定されたならば、所定時間の経過後再度運転者の意思を判定することを特徴とした請求項１又は２に記載の駐停車制御システム。
【請求項６】
前記駐車状態の保持制御が実行中の場合、前記駐車保持制御装置は、前記仮判定が為されず且つ運転者の意思が前記駐車状態の保持制御の解除意思ならば、該駐車状態の保持制御を解除することを特徴とした請求項１又は２に記載の駐停車制御システム。
【手続補正２】
【補正対象書類名】明細書
【補正対象項目名】０００２
【補正方法】変更
【補正の内容】
【０００２】
［０００５］
ところで、従来の駐車保持制御装置には、ブレーキペダルから足が離されている状態で停車保持制御が所定時間継続して行われた際に、自車が駐車されると判定させている。従って、駐車保持制御装置は、その条件が成立した際に、駐車保持装置を制御し、制動力を発生させて駐車状態を保持させる。しかしながら、その条件には、何ら運転者の意思が反映されていない。これが為、運転者の意思に反して駐車保持制御が実行される虞もあり、その際に運転者は、不要な駐車保持制御を解除する為の操作を行わなければならず、煩わしさを覚える可能性がある。また、運転者は、駐車保持制御が実行中であることを認識していない可能性もあり、車両を発進させる際に初めて認識したとすると、意図していなかった解除操作等によって混乱を招く虞がある。
［０００６］
そこで、本発明は、かかる従来例の有する不都合を改善し、運転者の意思に反した駐車保持制御が行われないように構成した駐停車制御システムを提供することを、その目的とする。
課題を解決するための手段
［０００７］
上記目的を達成する為、本発明は、駐車状態を保持する駐車保持装置と、前記駐車保持装置を制御して駐車状態を保持させる駐車保持制御装置と、前記駐車状態の保持制御の実行可能条件たる駐車条件の成立に伴い自車が駐車される可能性ありと仮判定する駐車仮判定装置と、前記仮判定が為されると運転者に意思確認情報を伝えて駐車の意思を確認する意思確認情報伝達装置と、運転者の意思を判定する意思判定装置と、を備え、前記意思確認情報伝達装置が前記意思確認情報を出力した後の運転者の意思表明装置に対する操作で運転者の駐車の意思と判定されたならば、前記駐車保持制御装置が前記駐車保持装置を制御して駐車状態の保持制御を実行させる一方、運転者の意思が駐車の意思でないならば、前記駐車保持制御装置が駐車状態の保持制御を禁止することを特徴としている。
［０００８］
また、上記目的を達成する為、本発明は、停車状態を保持する停車保持装置と、駐車状態を保持する駐車保持装置と、車両停止時に前記停車保持装置を制御して停車状態を保持させる停車保持制御装置と、前記駐車保持装置を制御して駐車状態を保持させる駐車保持制御装置と、前記駐車状態の保持制御の実行可能条件たる駐車条件の成立に伴い自車が駐車される可能性ありと仮判定する駐車仮判定装置と、前記仮判定が為されると運転者に意思確認情報を伝えて駐車の意思を確認する意思確認情報伝達装置と、運転者の意思を判定する意思
【手続補正３】
【補正対象書類名】明細書
【補正対象項目名】０００３
【補正方法】変更
【補正の内容】
【０００３】
判定装置と、を備え、停車状態の保持制御中に、前記意思確認情報伝達装置が前記意思確認情報を出力した後の運転者の意思表明装置に対する操作で運転者の駐車の意思と判定されたならば、前記駐車保持制御装置が前記駐車保持装置を制御して駐車状態の保持制御を実行させる一方、運転者の意思が駐車の意思でないならば、前記駐車保持制御装置が駐車状態の保持制御を禁止することを特徴としている。
［０００９］
ここで、前記意思判定装置は、運転者のブレーキ操作があったときに当該運転者の意思が駐車の意思でないと判定することが望ましい。
［００１０］
また、運転者の意思が駐車の意思でない場合、前記意思判定装置は、所定時間の経過後再度運転者の意思を判定することが望ましい。
［００１１］
また、運転者の意思が駐車の意思でない場合、前記意思判定装置が運転者の意思の再判定の要否を判定し、再判定の必要ありと判定されたならば、所定時間の経過後再度運転者の意思を判定することが望ましい。
［００１２］
また、前記駐車状態の保持制御が実行中の場合、前記駐車保持制御装置は、前記仮判定が為されず且つ運転者の意思が前記駐車状態の保持制御の解除意思ならば、該駐車状態の保持制御を解除することが望ましい。
発明の効果
［００１３］
本発明に係る駐停車制御システムは、運転者の駐車の意思が確認されれば駐車保持制御を実行させるが、駐車の意思が確認されなければ駐車保持制御を実行させない。これが為、この駐停車制御システムは、運転者の意思に反した無用な駐車保持制御が実行されないので、発進時に不要な駐車保持制御を手動操作で解除する煩わしさから運転者を解放させることができる。また、この駐停車制御システムは、無意識のうちに実行された駐車保持制御の解除操作を発進時に行う必要がないので、発進時の操作の混乱を防ぐことができる。
図面の簡単な説明
［００１４］
［図１］図１は、本発明に係る駐停車制御システムの構成を示すブロック図である。
［図２］図２は、本発明に係る駐停車制御システムの動作の一例を示すフローチ
【国際調査報告】
2011092857.tif 000008
2011092857.tif 000009